(57)【要約】【課題】水蒸気の逆流を防止することができる貯湯式給湯機を提供する。【解決手段】貯湯式給湯機は、湯水を貯留する貯湯タンクと、貯湯タンクを収納する筐体と、筐体の底部に設けられたドレンパンと、貯湯タンクからの排水を受ける排水接続部と貯湯タンクの内部の湯水を加熱した際に排出される膨張水を受ける膨張水排水部と膨張水排水部の下方において膨張水の熱の影響を受ける位置でドレンパンと排水接続部と膨張水排水部とから水を受けて筐体の外部に排出する水受け部とを一体的に有した排水部と、を備えた。【選択図】図２
2020085374.tif 000002
【特許請求の範囲】
【請求項１】
湯水を貯留する貯湯タンクと、
前記貯湯タンクを収納する筐体と、
前記筐体の底部に設けられたドレンパンと、
前記貯湯タンクからの排水を受ける排水接続部と前記貯湯タンクの内部の湯水を加熱した際に排出される膨張水を受ける膨張水排水部と前記膨張水排水部の下方において前記膨張水の熱の影響を受ける位置で前記ドレンパンと前記排水接続部と前記膨張水排水部とから水を受けて前記筐体の外部に排出する水受け部とを一体的に有した排水部と、
を備えた貯湯式給湯機。
【請求項２】
前記膨張水排水部の下方に設けられ、前記水受け部の開口部を覆い、前記水受け部から上がる水蒸気を受ける水蒸気受け部、
を備えた請求項１に記載の貯湯式給湯機。
【請求項３】
前記水受け部は、
前記ドレンパンからの水を受ける漏水溜め部屋と、
前記膨張水排水部からの水を受ける排水部屋と、
前記漏水溜め部屋と前記排水部屋とからの水を前記筐体の外部へ排出するタンクユニット排水口と、
前記漏水溜め部屋と前記排水部屋との間を仕切る仕切り板と、
前記仕切り板に形成され、前記排水部屋の上端縁から下方に延びるスリット部と、
を備えた請求項１または請求項２に記載の貯湯式給湯機。
【請求項４】
前記漏水溜め部屋に設けられ、前記漏水溜め部屋に流入する水の量が前記スリット部を通って前記排水部屋に流入する水の量に相当する場合は、漏水を検知しない漏水センサ、
を備えた請求項３に記載の貯湯式給湯機。
【請求項５】
前記排水部屋は、前記仕切り板の上端を含む上端縁が前記仕切り板の上端を除く前記漏水溜め部屋の上端縁よりも高い請求項３または請求項４に記載の貯湯式給湯機。
【請求項６】
前記膨張水排水部の下方に設けられ、前記排水部屋の開口部を覆い、下端縁が前記排水部屋の上端縁よりも下方に配置され、前記排水部屋から上がる水蒸気を受ける水蒸気受け部、
を備えた請求項３から請求項５のいずれか一項に記載の貯湯式給湯機。
【請求項７】
前記水蒸気受け部は、前記漏水溜め部屋の上方における下端縁が前記スリット部の下端縁よりも下方に配置された請求項６に記載の貯湯式給湯機。
【請求項８】
前記水蒸気受け部は、開口面積が下端縁から上方にいくにつれて小さくなる請求項６または請求項７に記載の貯湯式給湯機。
【請求項９】
前記水蒸気受け部は、下端縁の開口面積が前記排水部屋の上端縁の開口面積よりも広い請求項６から請求項８のいずれか一項に記載の貯湯式給湯機。
【請求項１０】
前記膨張水排水部の下部に設けられ、下端縁の開口面積が前記排水部屋の上端縁の開口面積よりも狭い貯湯タンク排水口、
を備えた請求項６から請求項９のいずれか一項に記載の貯湯式給湯機。
【請求項１１】
前記貯湯タンク排水口は、下端縁が前記水蒸気受け部から分岐して突出した請求項１０に記載の貯湯式給湯機。
【発明の詳細な説明】
【技術分野】
【０００１】
この発明は、貯湯式給湯機に関する。
【背景技術】
【０００２】
特許文献１は、貯湯式給湯機を開示する。当該貯湯式給湯機は、排水部を備える。当該排水部は、逆止弁を備える。当該逆止弁は、水蒸気の逆流を防止する。
【先行技術文献】
【特許文献】
【０００３】
【特許文献１】特開２０１７−１９０８８２号公報
【発明の概要】
【発明が解決しようとする課題】
【０００４】
しかしながら、特許文献１に記載の貯湯式給湯機において、異物が逆止弁に挟まる場合がある。この場合、水蒸気が逆流する。
【０００５】
この発明は、上述の課題を解決するためになされた。この発明の目的は、水蒸気の逆流を防止することができる貯湯式給湯機を提供することである。
【課題を解決するための手段】
【０００６】
この発明に係る貯湯式給湯機は、湯水を貯留する貯湯タンクと、前記貯湯タンクを収納する筐体と、前記筐体の底部に設けられたドレンパンと、前記貯湯タンクからの排水を受ける排水接続部と前記貯湯タンクの内部の湯水を加熱した際に排出される膨張水を受ける膨張水排水部と前記膨張水排水部の下方において前記膨張水の熱の影響を受ける位置で前記ドレンパンと前記排水接続部と前記膨張水排水部とから水を受けて前記筐体の外部に排出する水受け部とを一体的に有した排水部と、を備えた。
【発明の効果】
【０００７】
この発明によれば、水蒸気の逆流を防止することができる。
【図面の簡単な説明】
【０００８】
【図１】実施の形態１における貯湯式給湯機を示す正面図である。
【図２】実施の形態１における貯湯式給湯機の排水部の斜視図である。
【図３】実施の形態１における貯湯式給湯機の排水部の分解斜視図である。
【図４】図２のＡ−Ａ線における縦断面図である。
【図５】実施の形態２における貯湯式給湯機の縦断面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における貯湯式給湯機を示す正面図である。図１及び後述される他の図において、一部の部品の図示は省略される。図１に示されるように、貯湯式給湯機１は、貯湯タンク２と外郭ケース６とを備える。貯湯タンク２は、湯水を貯留する。外郭ケース６は、筐体として、貯湯タンク２を収納する。図１において、外郭ケース６の正面の壁は、透視される。貯湯タンク２と外郭ケース６とは、複数の脚１０を介して床面２０に固定される。
【００１１】
給水管３と出湯管４と給水電磁弁９と制御基板５とは、外郭ケース６に収納される。給水管３は、貯湯タンク２の下部に接続される。給水管３の上流側は、水道等の水源に接続される。出湯管４は、貯湯タンク２の上部に接続される。給水電磁弁９は、給水管３の途中に設けられる。制御基板５は、貯湯式給湯機１の動作を制御する。
【００１２】
水源からの水は、給水管３を通って貯湯タンク２に流入する。貯湯式給湯機１が外部へ給湯する際、貯湯タンク２の内部の湯は、給水管３から作用する水圧により出湯管４へ送り出される。この際、貯湯タンク２から出湯管４へ流出した湯と同量の水が給水管３から貯湯タンク２に流入する。その結果、貯湯タンク２は、満水状態に維持される。
【００１３】
図示されないが、他の機器を外郭ケース６の内部に収納してもよい。例えば、貯湯タンク２を覆う断熱材を外郭ケース６の内部に収納してもよい。例えば、湯水を循環させるポンプを外郭ケース６の内部に収納してもよい。例えば、湯水の熱交換を行う熱交換器を外郭ケース６の内部に収納してもよい。例えば、湯水を混合する混合弁を外郭ケース６の内部に収納してもよい。
【００１４】
図示されないが、圧力逃し弁は、貯湯タンク２の上部に接続される。貯湯タンク２の水が熱源により加熱されると、当該水の体積が膨張する。その結果、貯湯タンク２の内圧が上昇する。圧力逃し弁は、貯湯タンク２の内圧の値が予め設定された値以上になると開く。この際、水の体積の膨張分に相当する量の高温水である膨張水が系外に排出される。このため、貯湯タンク２の内圧の過上昇が防止される。
【００１５】
ドレンパン７は、貯湯タンク２の下方に設けられる。ドレンパン７は、外郭ケース６の底部に設けられる。ドレンパン７の上面には、傾斜または溝が形成される。排水部１１は、ドレンパン７に取り付けられる。
【００１６】
外郭ケース６の内部において、結露水が発生する場合がある。当該結露水は、重力により流下する。ドレンパン７は、当該結露水を受ける。また、万一、外郭ケース６内部において漏水が発生した場合、ドレンパン７は、当該漏水を受ける。当該水は、ドレンパン７の傾斜または溝により排水部１１に集まる。
【００１７】
当該水は、外郭ケース６の外部へ排出される。図示されないが、貯湯式給湯機１の設置場所には、排水ホッパーと排水経路とが設けられる。排水ホッパーは、排水部１１から排出される水を受ける。排水経路は、排水ホッパーから排水溝などへ排水を導く。その結果、貯湯式給湯機１が設置されている床面を水で濡らすことを防止できる。
【００１８】
図２は実施の形態１における貯湯式給湯機の排水部の斜視図である。図３は実施の形態１における貯湯式給湯機の排水部の分解斜視図である。図４は図２のＡ−Ａ線における縦断面図である。
【００１９】
図２と図３とに示されるように、排水部１１は、排水接続部１１ａと膨張水排水部１１ｂと水受け部１１ｃとを一体的に有する。排水接続部１１ａは、図２と図３とにおいては図示されない貯湯タンク２に接続される。膨張水排水部１１ｂは、排水接続部１１ａの側部に接続される。水受け部１１ｃは、膨張水排水部１１ｂの下部に接続される。
【００２０】
図４に示されるように、排水部１１は、膨張水流入口１１ｄと貯湯タンク排水口１１ｅと水蒸気受け部１１ｆと排水部屋１１ｇと漏水溜め部屋１１ｈとタンクユニット排水口１１ｉと仕切り板１１ｊとスリット部１１ｋとを備える。膨張水流入口１１ｄと貯湯タンク排水口１１ｅと水蒸気受け部１１ｆとは、膨張水排水部１１ｂに形成される。排水部屋１１ｇと漏水溜め部屋１１ｈとタンクユニット排水口１１ｉと仕切り板１１ｊとスリット部１１ｋとは、水受け部１１ｃに形成される。
【００２１】
排水接続部１１ａが開かれた場合、貯湯タンク２の内部の湯水は、排水接続部１１ａを通る。当該湯水は、貯湯タンク排水口１１ｅを通る。当該湯水は、貯湯タンク排水口１１ｅの開口面積に比べて広い開口面積を有する排水部屋１１ｇに流入する。当該湯水は、タンクユニット排水口１１ｉを通る。当該湯水は、排水部１１の外部へ排出される。
【００２２】
排水ホース１１ｌは、膨張水流入口１１ｄに接続される。排水ホース１１ｌは、前述された圧力逃し弁から排出された水を導く。例えば、沸上運転時において、膨張水は、圧力逃し弁から排出される。例えば、膨張水の流量は、５ｍＬ／分である。当該膨張水は、圧力逃し弁と排水ホース１１ｌとを通る。当該膨張水は、膨張水流入口１１ｄから膨張水排水部１１ｂに流入する。当該膨張水は、貯湯タンク排水口１１ｅから排出される。当該膨張水は、排水部屋１１ｇに流入する。当該膨張水は、タンクユニット排水口１１ｉを通る。当該膨張水は、排水部１１の外部に排出される。
【００２３】
この際、水蒸気が膨張水から発生する。当該水蒸気は、タンクユニット排水口１１ｉの下方から排水部屋１１ｇに流入する。当該水蒸気は、排水部屋１１ｇの開口面積よりも大きい開口面積を有する水蒸気受け部１１ｆによって捕集される。当該水蒸気は、貯湯タンク排水口１１ｅを通る。当該水蒸気は、膨張水流入口１１ｄを通る。当該水蒸気は、排水ホース１１ｌの内部に流入する。当該水蒸気は、排水ホース１１ｌの内部で冷却される。その結果、当該水蒸気は、水に凝集される。当該水は、排水部１１の外部に排出される。この際、例えば、排水ホース１１ｌの容積が１Ｌであれば、当該容積は、排水される膨張水が占める体積より充分に大きい。このため、水蒸気は、水に凝集されるまで一時的に蓄えられる。その結果、外郭ケース６の内部への水蒸気の流入は抑制される。このため、外郭ケース６の内部空間において、湿度の増加が抑制される。その結果、外郭ケース６の内部の各機器の信頼性が向上する。
【００２４】
以上で説明した実施の形態１によれば、排水部１１は、排水接続部１１ａと膨張水排水部１１ｂと水受け部１１ｃとを一体的に有する。水受け部１１ｃは、膨張水排水部１１ｂからの水の熱の影響を受ける位置に設けられる。排水部１１においては、水蒸気の流入抑制のための逆止弁等の追加部品は不要である。このため、水蒸気を抑制する構造部分の低コスト化を図ることができる。また、水蒸気の流入を抑制するための部品として、逆止弁のような摺動する部品は不要である。このため、異物の噛み、凍結による機能不全などが生じない。その結果、貯湯式給湯機１の信頼性を向上することができる。
【００２５】
また、水蒸気受け部１１ｆは、水受け部１１ｃの開口部を覆い、水受け部１１ｃから上がる水蒸気を受ける。このため、排水部屋１１ｇに流入した水蒸気を効率よく排水ホース１１ｌに集めることができる。
【００２６】
また、排水部屋１１ｇにおいて、仕切り板１１ｊの上端を含む上端縁は、仕切り板１１ｊの上端を除く漏水溜め部屋１１ｈの上端縁よりも高い。このため、貯湯式給湯機１の設置場所の勾配に影響せずに、漏水等を確実に漏水溜め部屋１１ｈに誘導することができる。
【００２７】
また、水蒸気受け部１１ｆにおいて、漏水溜め部屋１１ｈの上方における下端縁は、スリット部１１ｋの下端縁よりも下方に配置される。このため、排水口から上昇する水蒸気がスリット部１１ｋを通り、外郭ケース６の内部空間に侵入することを抑制できる。
【００２８】
また、水蒸気受け部１１ｆの開口面積が下端縁から上方にいくにつれて小さくなる。このため、排水口から上昇し、水蒸気受け部１１ｆに捕集された水蒸気を貯湯タンク排水口１１ｅに導くことができる。
【００２９】
また、水蒸気受け部１１ｆの下端縁の開口面積は、排水部屋１１ｇの上端縁の開口面積よりも広い。このため、排水口から上昇する水蒸気を確実に捕集し、水蒸気が外郭ケース６の内部空間に侵入することを抑制できる。
【００３０】
また、貯湯タンク排水口１１ｅの下端縁の開口面積は、排水部屋１１ｇの上端縁の開口面積よりも狭い。このため、膨張水排水部１１ｂまたは排水接続部１１ａから排出される湯水が確実に排水部屋１１ｇ内に落下し、排水部屋１１ｇの外側に湯水が飛散することを防止できる。これにより、水蒸気受け部１１ｆの下端縁の外側に湯水が流れ、水蒸気が外郭ケース６の内部空間に侵入することを抑制できる。
【００３１】
また、貯湯タンク排水口１１ｅの下端縁は、水蒸気受け部１１ｆから分岐して突出する。このため、膨張水排水部１１ｂまたは排水接続部１１ａから排出される湯水が水蒸気受け部１１ｆの壁面を伝って、排水部屋１１ｇの外側に湯水が飛散することを防止できる。これにより、水蒸気受け部１１ｆの下端縁の外側に湯水が流れ、水蒸気が外郭ケース６の内部空間に侵入することを抑制できる。
【００３２】
実施の形態２．
図５は実施の形態２における貯湯式給湯機の縦断面図である。実施の形態２の排水部１１は、実施の形態１の排水部１１と同様である。なお、実施の形態１の部分と同一又は相当部分には同一符号が付される。当該部分の説明は省略される。
【００３３】
図５に示されるように、本実施の形態２の貯湯式給湯機１は、漏水センサ１２を備える。漏水センサ１２は、漏水溜め部屋１１ｈに溜まった水を検知する。貯湯式給湯機１の部品から漏水が発生した場合、当該漏水は、ドレンパン７から漏水溜め部屋１１ｈに流入する。当該漏水は、排水部屋１１ｇの上端縁から下方に延びるスリット部１１ｋを通る。当該漏水は、排水部屋１１ｇに流入する。
【００３４】
この際、スリット部１１ｋは、流体抵抗として作用する。一定の流量の漏水が漏水溜め部屋１１ｈに流入すると、漏水溜め部屋１１ｈの水位が漏水センサ１２の高さに達する。例えば、０．３Ｌ／分の漏水が漏水溜め部屋１１ｈに流入すると、漏水溜め部屋１１ｈの水位が漏水センサ１２の高さに達する。この際、漏水センサ１２は、漏水を検知する。漏水センサ１２が漏水を検知した場合、制御基板５は、給水電磁弁９を閉じることで貯湯タンク２への給水を自動で停止する。その結果、漏水の拡大が防止される。
【００３５】
流量が大きい漏水が漏水溜め部屋１１ｈに流入した際、当該漏水の水位が漏水溜め部屋１１ｈの上端縁よりも高くなる。例えば、流量が５Ｌ／分の漏水が漏水溜め部屋１１ｈに流入した際、当該漏水の水位は、漏水溜め部屋１１ｈの上端縁よりも高くなる。この際、当該漏水は、漏水溜め部屋１１ｈから溢れる。当該漏水は、膨張水排水部１１ｂと水受け部との間の空間を通る。当該漏水は、排水部屋１１ｇに流入する。当該漏水は、タンクユニット排水口１１ｉを通って排水部１１の外部に排出される。
【００３６】
ドレンパン７で受ける排水には、漏水のほかに、貯湯式給湯機１の内部の気温変化による結露水が自然にドレンパン７に溜まってくる排水、雨水が外郭ケース６の隙間より貯湯式給湯機１の内部に侵入した排水などがある。結露水または雨水に起因するドレンパン７から排水部１１への排水の流入は、異常ではない。このため、漏水センサ１２で検知すべきではない。例えば、結露水または雨水に起因するドレンパン７から排水部１１への排水の流量は、０．０１Ｌ／分程度と小さい。このような小流量の排水が漏水溜め部屋１１ｈに流入した場合は、当該排水は、スリット部１１ｋを通ってタンクユニット排水口１１ｉから速やかに排出される。この場合は、漏水溜め部屋１１ｈの水位は上昇しない。このため、漏水センサ１２は、水に触れない。その結果、漏水センサ１２は、当該水を検知しない。
【００３７】
仕切り板１１ｊは、膨張水により定期的に加熱される。例えば、仕切り板１１ｊは、膨張水により１日に１回加熱される。その結果、仕切り板１１ｊの温度は高くなる。例えば、仕切り板１１ｊの温度は６０度となる。この場合、冬季などにおいて、排水部１１が零度以下の低温の雰囲気温度に晒されても、漏水溜め部屋１１ｈに流入して凍結した結露水または雨水は、膨張水により加熱される。その結果、凍結した結露水または雨水は、融解して水に戻る。当該水は、排水部１１の外部に排出される。このため、冬季などにおいて、漏水溜め部屋１１ｈに流入した水が凍結した場合でも、凍結した水が漏水センサ１２の水位まで積層しない。このため、漏水センサ１２は水に触れない。その結果、漏水センサ１２は当該水を検知しない。
【００３８】
以上で説明した実施の形態２においては、貯湯式給湯機１の内部で閾値を超える流量の漏水が発生すると、漏水溜め部屋１１ｈの水位が上昇する。その結果、漏水センサ１２が漏水を検知できる。これに対し、結露水または雨水に起因するドレンパン７からの正常な排水を漏水として誤検知することは確実に防止される。このため、貯湯式給湯機１の内部での漏水の発生を高精度に検知することができる。
【００３９】
また、漏水溜め部屋１１ｈに流入して凍結した水は、膨張水により加熱される。このため、冬季などにおいて、漏水溜め部屋１１ｈに流入した水が凍結した場合でも、結露した水が漏水センサ１２の水位まで積層しない。漏水センサ１２は水に触れず、正常な排水を漏水として誤検知することを確実に防止できる。
【符号の説明】
【００４０】
１  貯湯式給湯機
２  貯湯タンク
３  給水管
４  出湯管
５  制御基板
６  外郭ケース
７  ドレンパン
９    給水電磁弁
１０  脚
１１  排水部
１１ａ  排水接続部
１１ｂ  膨張水排水部
１１ｃ  水受け部
１１ｄ  膨張水流入口
１１ｅ  貯湯タンク排水口
１１ｆ  水蒸気受け部
１１ｇ  排水部屋
１１ｈ  漏水溜め部屋
１１ｉ  タンクユニット排水口
１１ｊ  仕切り板
１１ｋ  スリット部
１１ｌ  排水ホース
１２  漏水センサ
【図１】
2020085374.tif 000003
【図２】
2020085374.tif 000004
【図３】
2020085374.tif 000005
【図４】
2020085374.tif 000006
【図５】
2020085374.tif 000007